(57)【要約】  本発明は撮像のために使用される電磁放射線検出器に関する。検出器は複数の画素（１０）を含み、その画素の各々は、受ける電磁放射線（１３）を電気信号に変換する。本発明によれば、各画素（１０）は、感光性要素（１１、１２）によって受けた放射線を基本電気信号に変換する複数の感光性要素（１１、１２）と、検出器に対して選択された利得範囲に応じて、それぞれ画素（１０）の電気出力信号を形成するように、感光性要素（１１、１２）によって生成された基本電気信号から選択する選択手段（１４、１５）とを含む。
2013530582.tif 000002
【特許請求の範囲】
【請求項１】
行および列のアレイ状に組織された複数の画素（１０、３０、４０）を含む、電磁放射線を検出するための検出器であって、画素の各列または各行が前記アレイの同じ読み取りバス（２６）に接続され、画素が前記検出器の基本感受性要素を示し、各画素が、それが受ける電磁放射線（１３）を電気信号に変換する検出器であって、各画素（１０、３０、４０）が：
・  複数の感光性要素（１１、１３；４１〜４９）であって、各感光性要素が前記感光性要素（１１、１２；４１〜４９）によって受けた放射線を基本電気信号に変換する感光性要素（１１、１３；４１〜４９）と；
・  前記検出器に対して選択された利得範囲に応じて、画素（１０、３０、４０）の電気出力信号を形成するように、前記画素（１０、３０、４０）の前記感光性要素（１１、１２；４１〜４９）によって生成された前記基本電気信号から選択する選択手段（１４、１５；３１、３２）とを含むことを特徴とする検出器。
【請求項２】
前記基本電気信号が、電圧の形態で、前記感光性要素（１１、１２；４１〜４９）によって蓄積された電荷から形成されることと、前記電気出力信号が、前記１つまたは複数の選択された感光性要素（１１、１２；４１〜４９）から電圧の平均によって形成されることとを特徴とする、請求項１に記載の検出器。
【請求項３】
各画素（１０）が、前記画素（１０）を作動させるためのアクチュエータ（１９）を含み、前記アクチュエータが、各フォトダイオード（１１、１２）の前記基本電気信号が形成される画像取得段階中オフにされ、前記電気出力信号が前記検出器の読み取り回路（２０）に転送される画素（１０）読み取り段階中オンにされることと、前記基本電気信号を選択するための手段が、それぞれ前記感光性要素（１１、１２）の少なくとも１つを前記アクチュエータ（１９）に接続させる少なくとも１つの選択スイッチ（１４、１５）を含むこととを特徴とする、請求項１または２に記載の検出器。
【請求項４】
各画素（１０）がＮ個の感光性要素（１１、１２）およびＮ−１個の選択スイッチ（１４、１５）を含み、Ｎは２以上であり、前記感光性要素（１１、１２）のうちの１つは、前記読み取りアクチュエータ（１９）に永久に接続されることを特徴とする、請求項３に記載の検出器。
【請求項５】
前記読み取りアクチュエータ（１９）に永久に接続される前記感光性要素（１２）が、所定の電磁放射線（１３）に対して、前記１つまたは複数の他の感光性要素（１１）によって生成された前記１つまたは複数の基本信号より小さい基本信号を生成することを特徴とする、請求項４に記載の検出器。
【請求項６】
各画素（３０）が、各感光性要素（１１、１２）に関連して、前記画素（３０）を読み取るための読み取りアクチュエータ（３１、３２）を含み、前記アクチュエータは、前記基本電気信号が形成される画像取得段階中オフにされ、前記電気出力信号が前記検出器の読み取り回路（２０）に転送される前記画素（３０）の読み取るための段階中おそらくオンにされ、前記画素（３０）の１つのアクチュエータ（３１、３２）を閉じることにより、前記画素（３０）の前記電気出力信号を形成するように意図されている、前記感光性要素（１１、１２）のうちの１つを選択できることを特徴とする、請求項１に記載の検出器。
【請求項７】
１つの感光性要素が、受けた前記放射線を単一の基本電気信号に変換する複数の光検出器（４２〜４９）から形成されることを特徴とする、請求項１〜６のいずれか一項に記載の検出器。
【請求項８】
各画素（４０）が、第２の利得範囲に使用可能な第２の感光性要素を形成する複数の光検出器（４２〜４９）に囲まれた、第１の利得範囲に使用可能な第１の感光性要素（４１）を含むことを特徴とする、請求項７に記載の検出器。
【請求項９】
請求項１〜８のいずれか一項に記載の検出器が、入射放射線（Ｘ）を前記感光性要素が敏感な波長範囲の放射線に変換するシンチレータ（６３）を含むことを特徴とする検出器。
【請求項１０】
前記画素が単色であることを特徴とする、請求項１〜９のいずれか一項に記載の検出器。
【請求項１１】
請求項１〜１０のいずれか一項に記載の検出器が、前記画素（１０、３０、４０）が配置されている基板（６１）から形成されていることを特徴とする検出器。
【発明の詳細な説明】
【技術分野】
【０００１】
本発明は、撮像に使用される電磁放射線検出器に関する。
【背景技術】
【０００２】
この種の検出器は、一般にアレイ状またはストリップ状に組織された、多くの画素と呼ばれる感光性ドットを含む。画素は、検出器の基本感受性要素を示す。各画素は、それが受ける電磁放射線を電気信号に変換する。様々な画素によって伝達された電気信号は、アレイを読み取るための段階中に収集され、次いで処理ができるようにデジタル化され、そして画像を形成するために格納される。画素は、受けた光子束に応じて電荷の流れを運ぶ感光性領域と、この流れを処理するための電子回路とからなる。感光性領域は、例えば、フォトダイオード、フォトレジスタまたはフォトトランジスタであってもよい、感光性要素または光検出器を一般に含む。大きな感光性アレイが知られており、それは数百万の画素を有してもよい。
【０００３】
一般に各画素は、感光性要素と、例えばスイッチ、コンデンサおよび抵抗器を含む電子回路とからなり、その電子回路の下流にアクチュエータが配置されている。感光性要素および電子回路によって形成されたアセンブリにより、電荷を生成し、収集することができる。電子回路では一般に、電荷転送後、各画素に収集された電荷をリセット可能である。アクチュエータの役割は、回路で収集された電荷を読み取りバスに転送することである。この転送は、アクチュエータがそうするよう指示を受けた場合に行われる。アクチュエータの出力は画素の出力に対応する。
【０００４】
このように、検出器は同様の画素のアレイを含み、隣接した画素の各列（または各行）は、一般に同じ読み取りバスに接続されている。
【０００５】
この種の検出器では、画素は、感光性要素によって生成された電荷を画素の電子回路が蓄積する画像取得段階と、収集された電荷がアクチュエータによって読み取りバスに転送される読み取り段階との二段階で作動する。
【０００６】
画像取得段階中、アクチュエータは受動的であり、収集された電荷により感光性要素とアクチュエータとの間の接続ポイントでポテンシャルが変わる。この接続ポイントは、画素の電荷収集ノードと呼ばれる。読み取り段階中、感光性ドットに蓄積された電荷を自由にするために、それを転送もしくはコピーするために、または電荷収集ノードのポテンシャルを検出器の読み取り回路にコピーするために、アクチュエータは能動的である。
【０００７】
表現「受動アクチュエータ」は、アクチュエータが読み取り回路と電気的に接触しないことを意味すると理解される。このように、アクチュエータが受動的である場合、画素に収集された電荷は読み取り回路に転送もコピーもされない。
【０００８】
アクチュエータは、クロック信号によって制御されたスイッチであってもよい（それは一般にトランジスタである）。アクチュエータはまた、フォロワ回路または、画素に収集された電荷を読み取り回路とやりとりさせたり、または転送させたりできる任意の他の装置であってもよい。例えば、それは容量性トランスインピーダンス増幅器（ＣＴＩＡ）であってもよい。
【０００９】
この種の放射線検出器は、医療分野または産業分野の非破壊検査において、離散放射線、および顕著にはＸ線もしくはγ線を撮像するため、または放射線像を検出するために使用してもよい。感光性要素により、可視範囲または近可視範囲の電磁放射線を検出することができる。これらの要素は、検出器に入射した放射線に敏感ではない、またはそれほど敏感ではない。このように、入射放射線、例えばＸ線を画素中にある感光性要素が敏感である波長範囲の放射線に変換するために、シンチレータと呼ばれる放射線変換器が使用される。
【００１０】
画像取得段階中、各感光性要素が受けた光子の形態の電磁放射線が電荷（電子／ホールのペア）に変換され、各画素は一般に、画素の収集ノードの電圧を変更するために、この電荷を蓄積できるコンデンサを含む。このコンデンサは、感光性要素に固有であってもよく、次いで寄生コンデンサについて述べられたり、または感光性要素と並列接続されたコンデンサの形態で加えられたりする。
【００１１】
このように従来技術によれば、各画素は単一の感光性要素を含み、１つの感光性領域を含む。
【００１２】
現在の感光性要素は、放射線束の変化と一致するように直接調節することができない。人間の目では、この調節は虹彩によって実行され、虹彩は強い照度下では入射光束を低減する傾向がある。同様にカメラでは、この機能はシャッタによって達成される。上記のような放射線検出器では、この調節は達成するのがはるかにより難しい。
【００１３】
それは各画素にコンデンサを加えることにより、フラックスの変化と一致させることが求められている。コンデンサは、必要であれば、感光性要素と並列接続されてもよい。さらに正確には、低光度の場合では、追加コンデンサが検出器のすべての画素の中で分離される。検出器が強く照射される場合、画素の電圧を下げるために、すべての画素のコンデンサが接続される。言いかえれば、このコンデンサにより、画素の利得を、受けた光子数と画素の電圧との間のその伝達関数によって修正することができる。追加コンデンサは例えば、金属酸化膜半導体（ＭＯＳ）トランジスタのような電子スイッチによって接続される。
【００１４】
異なる利得範囲で画素を使用可能にするこの解決策は、多くの欠点を有する。第１に、追加コンデンサの接続を可能にするスイッチは漏れ電流を生成するため、画素のノードの電圧を妨害する。この電流は、顕著にはコンデンサを分離しなければならない場合、画素の性能を低下させる。第２に、画素の領域のうちのいくらかは、感光性要素の領域を失って、追加コンデンサによって占められている。
【発明の概要】
【発明が解決しようとする課題】
【００１５】
本発明は、各画素の中で利得範囲を選択してもよく、この選択を行うために追加コンデンサを使用しない放射線検出器を提供することにより、上記問題のすべてまたはいくつかを改善するのが目的である。
【課題を解決するための手段】
【００１６】
この目的のために、本発明の主題は、電磁放射線を検出するための検出器であって、行および列のアレイ状に組織された複数の画素を含み、画素の各列または各行はアレイの同じ読み取りバスに接続され、画素は検出器の基本感受性要素を示し、各画素はそれが受ける電磁放射線を電気信号に変換する検出器であって、各画素が以下を含むことにより区別される検出器である：
・  複数の感光性要素であって、各感光性要素はそれが受けた電磁放射線を基本電気信号に変換する感光性要素と；
・  検出器に対して選択された利得範囲に応じて画素の電気出力信号を形成するように、画素の感光性要素によって生成された基本電気信号から選択するための手段。
【００１７】
各画素は、複数の感光性要素が配置されている感光性領域を含む。
【００１８】
利得範囲は、画素の外部で選択される。利得範囲は、オペレーターが手動で選択してもよい。利得範囲の選択はまた、例えば検出器の近くに、光電池のような光検出器を例えば配置することにより自動化してもよく、光検出器は検出器が受けた平均照度についての情報を伝達する。次いで、範囲の選択はこの平均照度を事前設定したしきい値と比較することにより行う。
【００１９】
低照度の場合では、画素の利得はできるだけ高くなければならない。次いで、画素のすべて、または少なくとも最も敏感な感光性要素が、画素の電気出力信号を形成するために使用される。感光性要素はより大きな設置面積を有するため、画素の最大利得が増加する可能性がある。言いかえれば、所定の画素領域に対して、検出器の感度が低照度下で増加する。
【００２０】
本発明は、すべての画素が単色で同一である単色検出器において使用してもよい。すべての画素は同じ放射線を検出する。本発明はまた、単色画素群が配置されているカラー検出器において使用してもよい。所定の画素群では、各画素は、所定の波長範囲の放射線を検出するように意図されている。画素群は例えば、３つの基本画素を含んでもよい。３つの基本画素のうちの１つは赤色光を検出し、別のものは緑色光を検出し、そして３番目のものは青色光を検出する。本発明は、基本画素の各々において使用してもよい。
【００２１】
本発明は一層よく理解され、他の利点は例示的実施形態の詳細な説明を読んで明確になる。説明は添付図により図示している。
【図面の簡単な説明】
【００２２】
【図１】本発明による検出器において使用することができる、第１の実施形態による画素を図式的に示す。
【図２】本発明による検出器において使用することができる、第２の実施形態による画素を図式的に示す。
【図３】画素内部の複数の感光性要素の空間的配置の例を示す。
【図４】Ｘ線放射線学で使用できる可能性のある放射線検出器の例を示す。
【００２３】
理解を容易にするために、様々な図において、同じ要素は同じ参考番号を付けている。
【発明を実施するための形態】
【００２４】
２つの実施形態は、２つの感光性要素を含む画素について記述している。当然、本発明は２つの感光性要素を含む画素に限定されない。検出器により提供される利得範囲の数を増加させるために、より多くの感光性要素を使用してもよい。
【００２５】
本発明による検出器は一般に、アレイ状またはストリップ状に組織された多くの画素によって形成される。これらの画素は一般に同一である。
【００２６】
図１は、放射線１３を検出することができる、２つのフォトダイオード１１および１２を含む画素１０を示す。２つのフォトダイオード１１および１２は、完全なダイオードおよびコンデンサとして示され、コンデンサ、ここでは寄生コンデンサはダイオードと並列接続されている。この図示により、フォトダイオードの動作を理解することができる。フォトダイオードは、放射線１３による照射の間に充電される寄生コンデンサを含む。寄生コンデンサを充電することで、フォトダイオード１１および１２の各々により、それぞれのカソードへ伝達される基本電気信号が形成されている。フォトダイオード１１および１２の各々のアノードは、検出器の接地面に接続されている。
【００２７】
フォトレジスタおよびフォトトランジスタのような他の感光性要素類とともに、本発明を用いることは当然可能である。当然、図はこれら他の感光性要素類については変更する必要がある。
【００２８】
さらに、感光性要素は、受けた放射線を単一の基本電気信号に変換することができる複数の光検出器（フォトダイオード、フォトレジスタ、フォトトランジスタなど）から形成されてもよい。
【００２９】
画素１０は、１つまたは両方のフォトダイオード１１および１２の基本電気信号を選択し、検出器に対して選択された利得範囲に応じて、画素１０の出力電気信号を形成するための手段を含む。さらに正確には、電圧の形態の基本電気信号は、考慮される感光性要素１１または１２によって蓄積された電荷によって形成され、電気出力信号は、１つまたは複数の選択された感光性要素１１および１２からの電圧の平均によって形成される。示した例では、画素１０は、各々、２つのフォトダイオード１１および１２のうちの１つを画素１０のノード１６に接続可能にする２つの選択スイッチ１４および１５を含み、このノードは画素１０の出力信号が形成されるポテンシャルポイントを形成する。より一般的には、画素１０は、感光性要素うち少なくとも１つをノード１６に接続可能にする少なくとも１つの選択スイッチを含み、このノードは、画素１０を読み取り可能にするアクチュエータ１９の上流に位置する。本実施形態では、アクチュエータ１９はフォロワモードで作動するＮＭＯＳトランジスタである。
【００３０】
フォロワモードで作動するトランジスタは、単純なスイッチと異なり、読み取り回路にコレクションノード１６を直接接続させるのではなく、クロック信号２３が電流を流すと、画素１０のコレクションノード１６上の電圧の値を出力２２にコピーする。その電圧はトランジスタ１９のしきい電圧Ｖｔｈによって変わる。出力２２は、本発明ではスイッチによって形成される。このコピーにより、出力２２が確実に低インピーダンスを有しながら、ノード１６に蓄積された電荷を変化させないでおくことができる。
【００３１】
示した例では、フォトダイオード１１の領域はフォトダイオード１２の領域より大きい。この領域差は、図中、フォトダイオード１１および１２の寸法によって示す。実際には、低照度下で２つのフォトダイオード１１および１２を連結することができるだろう。また、フォトダイオード１２のみ放射線１３による高照度下で使用される。
【００３２】
低照度の場合には、恐らくフォトダイオード１１のみが使用され、読み取り段階中にスイッチ１５はオフにされる。この変形例は画素１０の有用な感光性領域を減少させるが、ノード１６に接続される構成要素の数を削減でき、そのため、ノード１６からの漏れ電流を減少させることができる。このことにより、画素１０の出力信号上のノイズが低減される。
【００３３】
変形例として、スイッチ１５を除去し、フォトダイオード１２をノード１６に永久に接続しておき、低照度下で利得範囲を変更したい場合、スイッチ１４のみ閉じることができる。この変形例はまた、画素１０のノード１６に接続される構成要素の数を減少させることができる。この変形例を一般化して、各画素１０はＮ個の感光性要素およびＮ−１個の選択スイッチを含んでもよい。Ｎは２以上であり、感光性要素のうちの１つは、読み取りアクチュエータ１９に永久に接続される。
【００３４】
有利には、読み取りアクチュエータ１９に永久に接続される感光性要素１２は、所定の入射電磁放射線１３に対して、１つまたは複数の他の感光性要素、例えば感光性要素１１によって生成された１つまたは複数の基本信号より小さい基本信号を生成する。
【００３５】
調整コンデンサ１７および１８は、それぞれフォトダイオード１１および１２と並列接続して、その結果、フォトダイオード１１および１２の各々に関連する電気容量を増加させてもよい。実際には、コンデンサ１８は、フォトダイオード１２によって伝達された基本信号の電圧を減少させるために、多くの場合必要である。対照的に、コンデンサ１７は、フォトダイオード１１の面積がより大きく、そのためその寄生容量もより大きいため、多くの場合必要ではない。一般に追加コンデンサおよび少なくともコンデンサ１７を用いずに行い、その結果、フォトダイオード１１および１２と並列の構成要素の数を制限することは有利である。これは、これらの構成要素が基本信号の質に悪影響を及ぼす漏れ電流を生成するためである。その上、これらの構成要素は嵩高く、各画素の有用な領域、すなわち感光性要素の検出領域を減少させる。さらに、小面積フォトダイオード１２を用いることは一般に、調整コンデンサ１８が必要ないことを意味し、このことは本発明の付加的利点である。フォトダイオード１２の検波利得が考慮される場合、小さい検出領域は調整コンデンサの追加を補償する。
【００３６】
追加コンデンサ１７および１８を使用するかしないかは、選択されるフォトダイオードおよび各基本信号の所望の電圧レベルに依存する。一般に、それらの電気容量は、それらが関連するフォトダイオードの寄生容量の２０％〜５００％である。
【００３７】
コンデンサ１７および１８が必要でも、画素の利得範囲および顕著には小面積フォトダイオード１２についての画素の利得範囲を修正するために、コンデンサ１７および１８はより小さい電気容量を有し、そのために、従来技術で使用されるコンデンサより例えば１０〜２０倍小さいことに留意されたい。これは、１つの画素当たり単一の感光性要素で、画素ができるだけ高い利得を可能にする寸法を有さなければならないからである。したがって、それは大きな光電流を生成してもよく、その利得範囲を変更するために画素の利得を減少させることが望まれる場合、コンデンサは高い電気容量を有さねばならないことを意味する。対照的に、本発明では、コンデンサ１８は単にフォトダイオード１２に適さねばならず、フォトダイオード１２は画素の領域の一部のみを覆い、したがって、部分的な電流または光電流のみを生成する。したがって、コンデンサ１８は従来技術のコンデンサより小さい。
【００３８】
画素１０の読み取りアクチュエータ１９により、ノード１６を検出器の読み取り回路２０に接続することができる。アクチュエータ１９は、各フォトダイオード１１および１２の基本電気信号が形成される画像取得段階中オフにされる。アクチュエータ１９は、電気出力信号がノード１６から読み取り回路２０に転送される画素１０の読み取り段階中オンにされる。
【００３９】
読み取りアクチュエータ１９は、例えば、そのソースＳに接続された２つのスイッチ２１および２２によって制御された電界効果トランジスタである。トランジスタ１９のドレインＤに関しては、それは電圧源２５に接続されている。次いで、トランジスタ１９はフォロワモードで作動する。スイッチ２１により、定電流源２３をソースＳに接続することができ、スイッチ２２により、ソースＳを読み取り回路２０に接続することができる。
【００４０】
スイッチ２１および２２によって制御された読み取りアクチュエータ１９により、画素１０を読み取るために、それをアドレス指定することができる。行はスイッチ２１によって選択され、それによって、読み取り段階中に電流をフォロワトランジスタ１９内に流すことができる。画素１０のノード１６上の電圧は、Ｖｔｈ内へ、画素１０の出力スイッチ２２へコピーされる。ポテンシャルＶｔｈはトランジスタ１９のしきい電圧に対応する。列はスイッチ２２によって選択され、一方は出力スイッチ２２の出力に、他方は読み取り回路２０に接続された列読み取りバス２６に、コレクションノード１６上の電圧をコピーするために、スイッチ２２はオンにされる。これにより、適切な行／列アドレス指定ができる。
【００４１】
画素１０はまた、例えば、画素１０の読み取り段階後にフォトダイオード１１および１２のそれぞれのカソードに適用してもよい、消去電圧２４からなるゼロ設定手段を含む。
【００４２】
このように、この第１の実施形態を用いて、１つの画素が異なる領域の２つの感光性要素または光検出器をどのように含んでもよいかを示している。一般に、このような構造では、小さい方の感光性要素の領域は大きい方の感光性要素の領域よりも２〜１０倍小さくなる。
【００４３】
当然この第１の実施形態では、本発明は所定の画素における異なる領域の２つの感光性要素を使用することに限定されず、その代わりに、いくつかの感光性要素、恐らく異なる寸法の感光性要素を所定の画素において使用してもよい。これらの要素は、全く同一のアクチュエータ１９に接続されている。
【００４４】
図２は、放射線１３を検出することができる２つのフォトダイオード１１および１２と、ゼロ設定手段２４とを含む画素３０を示す。画素３０では、画素１０とは対照的に、２つのフォトダイオード１１および１２に共通のノード１６はない。画素３０は、各フォトダイオード１１および１２に関連して、それぞれフォロワモード３１および３２で作動するトランジスタを含む。これらの構成要素３１および３２は、アクチュエータとして代替的に使用される。画素３０のアクチュエータがどのようにフォロワトランジスタ３１またはフォロワトランジスタ３２になりえるかをここで示す。２つのフォトダイオード１１および１２の各々によって作られた基本電気信号を形成する画像取得段階中、読み取りトランジスタ３１および３２はオフにされる。読み取り段階中に、アクチュエータは、フォロワトランジスタ３１またはフォロワトランジスタ３２のいずれかであり、それによって、画素３０の電気出力信号を形成するフォトダイオードをフォトダイオード１１および１２から選択することができる。
【００４５】
各フォトダイオード１１および１２によってそれぞれ作られた電荷が蓄積する基本ノード３３および３４が画定される。ノード３３および３４は、検出器の読み取り回路２０に対して、トランジスタ３１および３２の上流に位置する。ノード３３および３４のインピーダンスは、スイッチ３１および３２の下流のインピーダンスよりはるかに高い。前の実施形態に述べたスイッチ１４および１５を除去することにより、基本ノード３３または３４に接続された構成要素の数を制限することができる。これにより、各ノード３３および３４の漏れ電流を減少させ、ノード３３および３４の各々から得られる基本信号の質を改善することができる。
【００４６】
画素１０に関しては、トランジスタ３１および３２はそれぞれ、トランジスタ３１にはスイッチ３５、３６、およびトランジスタ３２にはスイッチ３７、３８の２個のスイッチによって制御する。スイッチ３５および３７は、定電流源２３を接続することができ、スイッチ３６および３８は、ノード３３および３４の各々上の電圧を読み取り回路２０にコピーすることができる。
【００４７】
第１の実施形態のように、漏れ電流、またはそれらが生成する寄生容量は、スイッチがアクチュエータ１９の上流に配置される場合より、画素の電気出力信号に対する影響が少ない。これは、図１に示した第１の実施形態において、スイッチがアクチュエータ１９の上流、すなわち高インピーダンス領域に配置される場合、スイッチは寄生電流または寄生容量を生成することができ、寄生容量はスイッチの端子と制御回路との間を形成するからである。このことは画素のノードでの電荷を変化させ、それによって、画素の出力信号に望ましくない変動を引き起こす。
【００４８】
図２に示した第２の実施形態では、スイッチ３５〜３８は範囲を選択できる、すなわち低インピーダンス領域のスイッチ３１および３２の下流に配置される。したがって、スイッチ３５〜３８は、画素の電気出力信号に影響をあまり与えない。
【００４９】
２つのフォトダイオード１１および１２は異なった寸法であることが好ましい。最小のフォトダイオード１２の基本信号は、恐らく高い照度に対して選択され、この場合、画素３０のアクチュエータはトランジスタ３２である。低照度下では、大きい方のフォトダイオード１３の基本信号が選択される。この場合、画素３０のアクチュエータはトランジスタ３１である。また、フォトダイオード１１および１２は同程度の寸法であるが、異なる利得を有することができる。これにより、２つのフォトダイオード１１および１２のうち一方または他方を、画素３０に望ましい利得に応じて選択することができる。このように、この実施形態では、画素は各々がアクチュエータの上流に配置された複数のフォトダイオードからなる。各画素について、使用されるアクチュエータおよびフォトダイオードは、検出器上に入射する放射線の輝度に応じて選択される。
【００５０】
上記の場合のように、図２の変形例は２つのフォトダイオードに限定されず、フォトダイオードの数は、利得範囲の所望の数によって必要に応じて変えてもよい。さらに、他の感光性要素類は、この変形例の文脈の中で当然使用してもよい。最後に、感光性要素は、全く同一のノード３３または３４に関連した複数の光検出器から形成されてもよい。
【００５１】
図３は、画素４０中の複数の感光性要素の空間的配置の例を示す。この配置は図１および２に示した２つの変形例に適用することができる。
【００５２】
画素４０は、高照度下で単独で使用可能な第１の感光性要素４１を含む。要素４１は例えば、失う空間を最小化するように正方形または任意の長方形の形状を有する。要素４１は例えば、単一の光検出器から形成される。要素４１は、単一の基本信号をともに伝達するように接続された、８つの他の光検出器４２〜４９に囲まれている。８つの光検出器４２〜４９は、有利には感光性要素４１を形成する光検出器と同じ形状を有する。光検出器４２〜４９は、より低照度下で同時に使用することができる。言いかえれば、それらは同じトランジスタ、例えば図２の変形例における３１または同じ選択スイッチ、例えば図１の変形例における１４に接続されている。光検出器４１〜４９はすべて、検出器の製造を単純化するために同一であってもよい。２つの領域５０および５１は、要素４１〜４９の間の導電体を経路づけるために使用され、領域５２は画素４０の様々な電子スイッチおよびアクチュエータを収容するために使用される。
【００５３】
より一般的には、各画素４０は、第２の利得範囲に使用可能な第２の感光性要素を形成する複数の光検出器４２〜４９に囲まれた、第１の利得範囲に使用可能な第１の感光性要素４１を含む。図２の変形例では、第１の感光性要素および光検出器４２〜４９はそれぞれ、第１のポテンシャルアクチュエータおよび第２のポテンシャルアクチュエータに接続され、用語「ポテンシャル」は、これらのアクチュエータは両方とも画素３０の代替アクチュエータであることを意味すると理解される。入射放射線の輝度に応じて、第１の感光性要素および第１のポテンシャルアクチュエータが使用されるか、光検出器４２〜４９および第２のポテンシャルアクチュエータが使用される。
【００５４】
実施形態に応じて、ｎ個の光検出器群を所定の画素に配置してもよく、各光検出器群は少なくとも１つの感光性要素を含み、各感光性要素群はポテンシャルアクチュエータに接続され、その結果、入射放射線の輝度に応じて、単一の光検出器群およびそれに接続されるポテンシャルアクチュエータを選択されることが理解されるだろう。
【００５５】
図４は、Ｘ線またはγ線放射線学に使用することができる放射線検出器６０を示す。検出器は、基板６１、例えばシリコン基板から形成され、その上には感光性センサ６２を形成するように、アレイ状に組織された画素が配置されている。センサ６２は、Ｘまたはγ線の非常に短い波長の放射線に直接敏感ではない。このため、発光物質の層を含む放射線変換器６３は、感光性センサ６２に関連している。この物質は、そのような放射によって励起されると、より長い波長の放射線、例えばセンサ６２が敏感である可視または近可視の範囲の光を放射する特性を有する。放射線変換器６３によって放射された光はセンサ６２の感光性要素を照射し、感光性要素は光電変換を行い、読み取り回路２０によって読み取ることができる電気信号を伝達する。一般にシンチレータ６３と呼ばれる放射線変換器６３は、シンチレータ６３によって放射された放射線を透過することができる接着剤フィルム６４でセンサ６２に固定してもよい。図示していない入射窓は、外部環境からの攻撃から保護するようにシンチレータ６３を覆ってもよい。
【００５６】
アルカリ金属ハロゲン化物類または希土類酸硫化物類の特定の発光物質は、それらの良好な性能のために頻繁に使用されている。それぞれ、約４００ナノメータまたは５５０ナノメータの放射のどちらが望ましいかに応じて、アルカリ金属ハロゲン化物の中のナトリウムまたはタリウムでドープしたヨウ化セシウムが、その高いＸ線の吸収およびその優れたシンチレーション効率で知られている。それは、基板上で成長した薄いニードルの形態をとってもよい。この発光物質類は、シンチレータ層と相互作用する各Ｘ線光子に対して約数百個の可視光子を放射してもよい。
【００５７】
図４で示したような放射線検出器において本発明を用いることにより、すべてのＸ線光子を検出することができる。これは、センサ６２によって処理される可視光子の数を減らすことによってのみ、利得範囲が選択されるからである。
【図１】
2013530582.tif 000003
【図２】
2013530582.tif 000004
【図３】
2013530582.tif 000005
【図４】
2013530582.tif 000006
【国際調査報告】
2013530582.tif 000007
2013530582.tif 000008
2013530582.tif 000009
2013530582.tif 000010
2013530582.tif 000011
2013530582.tif 000012